(57)【要約】      （修正有）【課題】キーワードに対応する代表的なスポットを検索する。【解決手段】代表スポット出力装置は、キーワードに関連する複数の文書を取得するＳ１文書取得手段と、各文書において含まれる各スポットの名称の包含数をカウントしてＳ２、文書の識別子と、スポットの識別子と、当該文書において含まれる当該スポットの名称の包含数を対応づけたスポット包含数データを生成するスポット包含数算出手段と、スポット包含数データを参照して、各スポットの代表スコアを算出するＳ４代表スコア算出手段と、代表スコアの高いスポットの識別子を、代表スポットとして出力するＳ６代表スポット出力手段と、を備える。代表スコア算出手段は、各文書において比較の対象とされるスポットの代表スコアが高くなるように、各スポットの代表スコアを算出する。【選択図】図１
2015222515.tif 000002
【特許請求の範囲】
【請求項１】
代表スポット出力装置が、キーワードに対応する代表的なスポットを検索する代表スポット出力方法であって、
代表スポット出力装置が、前記キーワードに関連する複数の文書を取得するステップと、
前記代表スポット出力装置が、各文書において含まれる各スポットの名称の包含数をカウントして、文書の識別子と、スポットの識別子と、当該文書において含まれる当該スポットの名称の包含数を対応づけたスポット包含数データを生成するステップと、
前記代表スポット出力装置が、前記スポット包含数データを参照して、各スポットの代表スコアを算出するステップと、
前記代表スポット出力装置が、前記代表スコアの高いスポットの識別子を、代表的なスポットとして出力するステップと、を備え、
前記代表スコアを算出するステップは、２以上のスポット名が含まれる文書において、前記包含数の少ないスポットの代表スコアが高くなるように、各スポットの代表スコアを算出する
ことを特徴とする代表スポット出力方法。
【請求項２】
前記代表スコアを算出するステップは、各文書に含まれる各スポット名の種別数をカウントし、２以上のスポット名が含まれる文書かつ前記種別数の少ない文書において、前記包含数の少ないスポットの代表スコアが高くなるように、各スポットの代表スコアを算出する
ことを特徴とする請求項１に記載の代表スポット出力方法。
【請求項３】
前記文書がタイトルおよび本文を含む場合、前記代表スコアを算出するステップは、タイトルに含まれるスポットの名称の代表スコアより、本文に含まれるスポットの名称の代表スコアが高くなるように、各スポットの代表スコアを算出する
ことを特徴とする請求項１または２に記載の代表スポット出力方法。
【請求項４】
キーワードに対応する代表的なスポットを検索する代表スポット出力装置であって、
前記キーワードに関連する複数の文書を取得する文書取得手段と、
各文書において含まれる各スポットの名称の包含数をカウントして、文書の識別子と、スポットの識別子と、当該文書において含まれる当該スポットの名称の包含数を対応づけたスポット包含数データを生成するスポット包含数算出手段と、
前記スポット包含数データを参照して、各スポットの代表スコアを算出する代表スコア算出手段と、
前記代表スコアの高いスポットの識別子を、代表的なスポットとして出力する代表スポット出力手段と、を備え、
前記代表スコア算出手段は、２以上のスポット名が含まれる文書において、前記包含数の少ないスポットの代表スコアが高くなるように、各スポットの代表スコアを算出する
ことを特徴とする代表スポット出力装置。
【請求項５】
前記代表スコア算出手段は、各文書に含まれるスポット名の種別数をカウントし、２以上のスポット名が含まれる文書かつ前記種別数の少ない文書において、前記包含数の少ないスポットの代表スコアが高くなるように、各スポットの代表スコアを算出する
ことを特徴とする請求項４に記載の代表スポット出力装置。
【請求項６】
前記文書がタイトルおよび本文を含む場合、前記代表スコア算出手段は、タイトルに含まれるスポットの名称の代表スコアより、本文に含まれるスポットの名称の代表スコアが高くなるように、各スポットの代表スコアを算出する
ことを特徴とする請求項４または５に記載の代表スポット出力装置。
【請求項７】
コンピュータに、請求項１ないし請求項３のいずれか１項に記載のステップを実行させるための代表スポット出力プログラム。
【発明の詳細な説明】
【技術分野】
【０００１】
本発明は、キーワードに対応する代表的なスポットを検索する代表スポット出力方法、代表スポット出力装置および代表スポット出力プログラムに関する。
【背景技術】
【０００２】
一般的に店舗などのスポットを検索する際、検索サイトを利用する方法が知られている。ユーザは、検索サイトにおいて、地域とキーワードを入力することにより、所定の地域における所定のキーワードに関連するスポットを検索することができる。
【０００３】
この検索サイトにおいて、評判に基づいて店舗を検索する方法や、文書頻度に基づいて店舗を検索する方法が知られている。評判に基づいて店舗を検索する方法としては、グルメサイトのように、人手で付与された評価を元に各店舗のスコアを算出し、算出したスコアを元に店舗をランキングして出力する方法が考えられる。また特許文献１に示されるように、評判情報を機械的に抽出した結果を元に、店舗を出力する方法もある。文書頻度に基づいて店舗を検索する方法としては、地域とキーワードに関連する文書のうち、スポット名が出現する文書数を算出し、文書数の多い店舗をランキングして出力する方法が考えられる。
【先行技術文献】
【特許文献】
【０００４】
【特許文献１】特許第５２９７３０９号公報
【発明の概要】
【発明が解決しようとする課題】
【０００５】
しかしながら、従来の検索方法においては、地域とキーワードに対し、それに関連する代表的なスポットを知ることはできない。
【０００６】
例えば、宇都宮に出張に出る場合、宇都宮では餃子が名物であることを知っていても、宇都宮の餃子を食べたいと考え、店舗を検索する場合を想定する。宇都宮で餃子を提供する店舗は多数あるところ、最初に宇都宮で餃子を食べるには、評判が良い店や店舗数の多い店ではなく、代表的なスポットを選択して、その代表的なスポットに足を運びたいユーザもいる。しかしながら、一般的な検索サイトでは、代表的なスポットを検索することができないため、ユーザは、適切な情報が得られず、どの店舗に足を運ぶべきかを決定できない場合がある。
【０００７】
例えば、評判に基づいて店舗を検索する方法においては、評判の良いスポットを選択することしかできず、評判のよいスポットが必ずしもその地域を代表するスポットであるとは限らない問題がある。例えば、ある地域において、味付けや麺の太さに特徴があるラーメンが名物である場合であっても、その地域で評判の良い店舗のラーメンが、その特徴を持っていない場合も考えられる。従って、評判の良いスポットが、代表的なスポットであるとは限らない。
【０００８】
また文書頻度に基づいて店舗を検索する方法においては、よく話題にされるスポットの文書頻度が高くなるため、チェーン店のようなスポットが地域に関係なく選択されてしまう問題がある。
【０００９】
従って本発明の目的は、キーワードに対応する代表的なスポットを検索する代表スポット出力方法、代表スポット出力装置および代表スポット出力プログラムを提供することである。
【課題を解決するための手段】
【００１０】
上記課題を解決するために、本発明の第１の特徴は、代表スポット出力装置が、キーワードに対応する代表的なスポットを検索する代表スポット出力方法に関する。本発明の第１の特徴に係る代表スポット出力装置は、代表スポット出力装置が、前記キーワードに関連する複数の文書を取得するステップと、代表スポット出力装置が、各文書において含まれる各スポットの名称の包含数をカウントして、文書の識別子と、スポットの識別子と、当該文書において含まれる当該スポットの名称の包含数を対応づけたスポット包含数データを生成するステップと、代表スポット出力装置が、前記スポット包含数データを参照して、各スポットの代表スコアを算出するステップと、代表スポット出力装置が、前記代表スコアの高いスポットの識別子を、代表的なスポットとして出力するステップと、を備える。代表スコアを算出するステップは、２以上のスポット名が含まれる文書において、前記包含数の少ないスポットの代表スコアが高くなるように、各スポットの代表スコアを算出する。
【００１１】
代表スコアを算出するステップは、各文書に含まれる各スポット名の種別数をカウントし、２以上のスポット名が含まれる文書かつ前記種別数の少ない文書において、前記包含数の少ないスポットの代表スコアが高くなるように、各スポットの代表スコアを算出しても良い。
【００１２】
文書がタイトルおよび本文を含む場合、前記代表スコアを算出するステップは、タイトルに含まれるスポットの名称の代表スコアより、本文に含まれるスポットの名称の代表スコアが高くなるように、各スポットの代表スコアを算出してもよい。
【００１３】
本発明の第２の特徴は、キーワードに対応する代表的なスポットを検索する代表スポット出力装置に関する。本発明の第２の特徴に係る代表スポット出力装置は、キーワードに関連する複数の文書を取得する文書取得手段と、各文書において含まれる各スポットの名称の包含数をカウントして、文書の識別子と、スポットの識別子と、当該文書において含まれる当該スポットの名称の包含数を対応づけたスポット包含数データを生成するスポット包含数算出手段と、スポット包含数データを参照して、各スポットの代表スコアを算出する代表スコア算出手段と、代表スコアの高いスポットの識別子を、代表的なスポットとして出力する代表スポット出力手段と、を備える。代表スコア算出手段は、２以上のスポット名が含まれる文書において、包含数の少ないスポットの代表スコアが高くなるように、各スポットの代表スコアを算出する。
【００１４】
代表スコア算出手段は、各文書に含まれるスポット名の種別数をカウントし、２以上のスポット名が含まれる文書かつ種別数の少ない文書において、包含数の少ないスポットの代表スコアが高くなるように、各スポットの代表スコアを算出しても良い。
【００１５】
文書がタイトルおよび本文を含む場合、代表スコア算出手段は、タイトルに含まれるスポットの名称の代表スコアより、本文に含まれるスポットの名称の代表スコアが高くなるように、各スポットの代表スコアを算出しても良い。
【００１６】
本発明の第３の特徴は、コンピュータに本発明の第１の特徴に記載のステップを実行させるための代表スポット出力プログラムに関する。
【発明の効果】
【００１７】
本発明によれば、キーワードに対応する代表的なスポットを検索する代表スポット出力方法、代表スポット出力装置および代表スポット出力プログラムを提供することができる。
【図面の簡単な説明】
【００１８】
【図１】本発明の実施の形態に係る代表スポット出力方法を説明するフローチャートである。
【図２】本発明の実施の形態に係る代表スポット出力装置のハードウェアおよび機能ブロックを説明する図である。
【図３】文書群データの一例を説明する図である。
【図４】スポット名データの一例を説明する図である。
【図５】スポット包含数データの一例を説明する図である。
【図６】代表スコアデータの一例を説明する図である。
【発明を実施するための形態】
【００１９】
次に、図面を参照して、本発明の実施の形態を説明する。以下の図面の記載において、同一または類似の部分には同一または類似の符号を付している。
【００２０】
（実施の形態）
本発明の実施の形態に係る代表スポット出力装置１は、地域およびキーワードに関連する文書から、その地域およびキーワードに対応する代表的なスポットを検索する。ここで「代表的なスポット」とは、この地域で、このキーワードといえば、地元の人がすぐに連想するようなスポットであって、地域およびキーワードに関連する発祥の元となった権威と呼ばれうるものである。このスポットは、典型的には店舗であると考えられるが、店舗に限るものではない。
【００２１】
図１を参照して、代表スポット出力装置１による代表スポット出力方法を説明する。
【００２２】
まずステップＳ１において、地域およびキーワードに関連する複数の文書を含む文書群を取得する。取得した文書群の各文書について、ステップＳ２およびステップＳ３を実行する。
【００２３】
ステップＳ２において代表スポット出力装置１は、文書の文字列において含まれる各スポットの名称の包含数をカウントして、出力する。ここでは、文書の文字中に、あるスポットの名称が３回登場する場合、この文書およびこのスポットに対する包含数は「３」となる。ステップＳ３において代表スポット出力装置１は、文書の識別子と、スポットの識別子と、当該文書において含まれる当該スポットの名称の包含数を対応づけたレコードを、スポット包含数データ２４に挿入して、スポット包含数データ２４を更新する。
【００２４】
ステップＳ１で取得した各文書について、ステップＳ２およびステップＳ３の処理が終了すると、ステップＳ２でカウントされた各スポットについて、ステップＳ４およびステップＳ５の処理を実行する。ステップＳ４において代表スポット出力装置１は、あるスポットについて代表スコアを算出し、スポットの識別子と算出した代表スコアとを対応付けたレコードを、代表スコアデータ２５に挿入して、代表スコアデータ２５を更新する。
【００２５】
ステップＳ２でカウントされた各スポットについてステップＳ４およびステップＳ５の処理が終了すると、ステップＳ６に進む。ステップＳ６において代表スポット出力装置１は、代表スコアデータ２５を参照して、代表スコアの高いスポットを代表スコアとして出力する。
【００２６】
（代表スコア出力装置）
図１を参照して、本発明の実施の形態に係る代表スポット出力装置１を説明する。代表スポット出力装置１は、処理装置１０、記憶装置２０、入力装置３０および出力装置４０を備える一般的なコンピュータにおいて実現される。一般的なコンピュータが所定の処理を実行するための代表スポット出力プログラムを実行することにより、図２に示す各機能が実現される。
【００２７】
入力装置３０は、キーボード、マウスなどであって、処理装置１０に地域やキーワードを入力する。出力装置４０は、ディスプレイなどであって、処理装置１０によって算出された代表スポットを表示する。入力装置３０および出力装置４０は、通信ネットワークおよびこの通信ネットワークに接続するコンピュータを介して情報を入出力する、入力装置および出力装置であっても良いし、他の情報処理システムであっても良い。
【００２８】
処理装置１０は、記憶装置２０に記憶されたデータを読み出したり、作業データを記憶装置２０に記憶したりして、入力装置３０から入力された地域やキーワードに従って代表スコアを算出して、代表スポットを出力装置４０に出力する。記憶装置２０は、ＲＯＭ、ＲＡＭ、ハードディスクなどのデータを記憶する媒体である。
【００２９】
記憶装置２０は、検索インデックスデータ２１、文書群データ２２、スポット名データ２３、スポット包含数データ２４および代表スコアデータ２５を記憶する。文書群データ２２、スポット包含数データ２４および代表スコアデータ２５は、処理装置１０の処理により記憶されるデータである。
【００３０】
文書取得手段１１は、地域やキーワードに関連する複数の文書を取得し、文書群データ２２として記憶装置２０に記憶する。ここで地域やキーワードは、入力装置３０からユーザの操作によって入力されても良いし、他のシステム等から入力されても良い。文書取得手段１１は、検索インデックスデータ２１を参照して、地域やキーワードに対するインデックスを取得し、取得したインデックスを用いて、ウェブや文書データベースなどから、インデックスに対応する複数の文書を取得する。検索インデックスデータ２１は、入力装置３０から入力される地域やキーワードと、これらに対する検索インデックスとを対応づけたデータである。
【００３１】
文書の取得方法としては、キーワードと地域とをクエリとして文書を検索する。キーワードと地域をクエリとして文書を検索する方法として、文書中に含まれる地域表現の広さを考慮して地名にスコアを付与し、検索結果に反映させる方法が考えられる（安田宜仁，戸田浩之、検索位置のごく周辺を対象とした地理情報検索、人工知能学会論文誌、Ｖｏｌ．２３，Ｎｏ．５、ｐｐ．３６４−３７３、２００８）。また文書の取得方法はこれに限るものではなく、インデックスを用いることなく、文書本文にキーワードと地名を表す文字列が含まれる文書を取得する方法が考えられる。また地域の指定方法として、「横浜」などのように文字列をクエリとして指定しても良い。
【００３２】
このように文書取得手段１１によって取得された文書の文書群データ２２の一例を図３に示す。文書群データ２２の各文書は、入力装置３０から入力された地域に関連する文書である。文書群データ２２は、文書の識別子、タイトルおよび本文を対応づけたデータである。この文書群のタイトルおよび本文には、スポットの名称「ＡＡＡ」、「ＢＢＢ」、「ＣＣＣ」、「ＤＤＤ」および「ＥＥＥ」の、５種別のスポットの名称が含まれる。
【００３３】
スポット包含数算出手段１２は、各文書において含まれる各スポットの名称の包含数をカウントして、スポット包含数データ２４を生成する。スポット包含数データ２４は、文書の識別子と、スポットの識別子と、当該文書において含まれる当該スポットの名称の包含数を対応づけたデータである。
【００３４】
スポット包含数算出手段１２は、スポット名データ２３を参照して、各文書のタイトルおよび文書におけるスポットの名称をカウントする。スポット名データ２３は、例えば図４に示すように、スポットの識別子と、スポットの名称とを対応づけたデータである。スポット包含数算出手段１２は、文書のタイトルおよび本文を結合した文字列の中にスポット名データ２３中のスポットの名称を表す文字列が含まれている場合、そのスポットの名称を抽出し、抽出した文字列の包含数を算出する。
【００３５】
ここで、図３に示す文書の識別子Ｄ４の文書について、各スポットの名称の包含数をカウントする処理を説明する。文書の識別子Ｄ４の文書のタイトルと本文を連結した文字列は、「ＤＤＤ  ＤＤＤのラーメンはＡＡＡのラーメンとＣＣＣのラーメンを足して２で割ったような味でした。」となる。この文字列から、スポット名データ２３のスポットの名称を表す文字列を抽出すると、「ＤＤＤ」「ＤＤＤ」「ＡＡＡ」「ＣＣＣ」が抽出される。抽出した文字列における各スポット名称の包含数を算出すると、スポットの識別子Ｐ１の「ＡＡＡ」の包含数が「１」、スポットの識別子Ｐ３の「ＣＣＣ」の包含数が「１」、スポットの識別子Ｐ４の「ＤＤＤ」の包含数が「２」となる。各文書について、同様に各スポットの包含数を算出する。
【００３６】
各スポットの包含数を算出すると、図５に示すスポット包含数データ２４が生成される。スポット包含数データ２４は、文書の識別子と、スポットの識別子と、この文書において含まれるこのスポットの名称の包含数を対応づける。
【００３７】
ここでスポット包含数算出手段１２の処理はこれに限らない。例えば、スポット名データ２３において、スポットの名称を形態素列として格納し、文書を形態素解析した結果の形態素列の中にスポット名を表す形態素列が含まれる場合に、スポット包含数算出手段１２は、スポットの名称が含まれていると判定しても良い。また、スポットの名称の表記だけでなく、品詞も一致する場合に、スポット包含数算出手段１２は、スポットの名称が含まれていると判定しても良い。
【００３８】
代表スコア算出手段１３は、スポット包含数データ２４を参照して、各スポットの代表スコアを算出する。ここで代表スコア算出手段１３は、各文書において比較の対象とされるスポットの代表スコアが高くなるように、各スポットの代表スコアを算出する。また代表スコア算出手段１３は、２以上のスポット名が含まれる文書において、包含数の少ないスポットの代表スコアが高くなるように、各スポットの代表スコアを算出する。また代表スコア算出手段１３は、各文書に含まれるスポット名の種別数をカウントし、２以上のスポット名が含まれる文書かつ種別数の少ない文書において、包含数の少ないスポットの代表スコアが高くなるように、各スポットの代表スコアを算出する。
【００３９】
本発明の実施の形態において「代表的なスポット」は、その地域のほかのスポットと比較されやすいこと、比較される場合に文書の中でそのスポットはあまり多く言及されないこと、比較される場合に文書の中であまり多くのスポットは言及されないことに着目する。すなわち、一つの文書において、複数のスポットの名称が含まれる場合、そのいずれかは、代表的なスポットの可能性がある。また、一つの文書において、複数のスポットの名称の種別が含まれ、かつ、包含数の少ないスポットは、比較の対象とされるスポットと考えられ代表的なスポットの可能性がある。さらに、一つの文書において複数のスポットの名称が含まれ、なおかつ各スポットの種別数が少ない場合、そのいずれかのスポットは、代表的なスポットの可能性がある。
【００４０】
この前提で例えば、下記の式（１）により、所定のスポットの代表スコアを算出することができる。
【数１】
2015222515.tif 000003
【００４１】
なお、この式（１）による代表スコアの算出する方法はこれに限らない。複数のスポットが含まれる文書における各スポットの包含数と種別数を用いて、ほかのスポットと多く比較されているほどスコアが高くなるように算出されるものであれば、これに限るものではない。
【００４２】
式（１）による代表スコアを算出する一例を説明する。ここでは、文書に対する重みは一定とし、α（ｒ）＝１とする。例として、スポットの識別子Ｐ１の「ＡＡＡ」に関して代表スコアを算出する。
・ｒ＝１のとき、δ（ｒ，ｘ）＝１、ｃ（ｒ，ｘ）＝４、Σｙｃ（ｒ，ｙ）＝４あるから、Σ内の値は０
・ｒ＝２のとき、δ（ｒ，ｘ）＝０であるので、Σ内の値は０
・ｒ＝３のとき、δ（ｒ，ｘ）＝１、ｎ（ｒ）＝５、ｃ（ｒ，ｘ）＝１、Σｙｃ（ｒ，ｙ）＝１＋１＋１＋１＋１＝５であるので、Σ内の値は、１×１×（５−１）／５／５＝０．１６
・ｒ＝４のとき、δ（ｒ，ｘ）＝１、ｎ（ｒ）＝３、ｃ（ｒ，ｘ）＝１、Σｙｃ（ｒ，ｙ）＝１＋１＋２＝４であるので、Σ内の値は、１×１×（４−１）／３／４＝０．２５
・ｒ＝５のとき、δ（ｒ，ｘ）＝０であるので、Σ内の値は０
以上より、Ｓ（Ｐ１）＝０＋０＋０．１６＋０．２５＋０＝０．４１となる。
【００４３】
代表スコア算出手段１３は、他のスポットの識別子Ｐ２ないしＰ５についても同様に算出する。これにより代表スコア算出手段１３は、図６に示すように、スポットの識別子と、そのスポットの代表スコアとを対応づけた代表スコアデータ２５を出力し、記憶装置２０に記憶する。
【００４４】
代表スポット出力手段１４は、代表スコアの高いスポットの識別子を、代表的なスポットとして出力する。本発明の実施の形態においては、代表スコアの最も高いスポットが、代表的なスポットとなるが、代表的なスポットの決定方法はこれに限らない。例えば、代表スコアの高い上位Ｎ件までを代表的なスポットとして決定しても良いし、代表スコアの高い上位Ｘ％までを代表的なスポットとして決定しても良い。図６に示す例では、スポットの識別子Ｐ３の代表スコアが０．７４であるので、スポットの識別子Ｐ３のスポット「ＣＣＣ」が代表的なスポットとなる。
【００４５】
また本発明の実施の形態において、スポットの識別子Ｐ１とＰ３とは、ともに包含数「３」である。しかしながらスポットの識別子Ｐ３は、多くの文書でほかのスポットとより比較されているので、スポットの識別子Ｐ３は、代表スコアが高く算出され、スポットの識別子Ｐ１と比べて代表的なスポットになりうる。
【００４６】
このように本発明の実施の形態に係る代表スポット出力装置１は、地域およびキーワードに対し、それに関連する代表的なスポットを出力することができる。
【００４７】
なお、代表スポット出力装置における処理の順序はこれに限るものではない。例えば、本発明の実施の形態においては、検索インデックスを使って文書を抽出した後、スポットの包含数を算出したが、予め各文書に対して、スポットの包含数を算出しても良い。この場合、スポットの識別子とスポットの包含数を、メタデータとして各文書に対応づけて検索インデックスデータ２１等に格納し、スポット包含数算出手段１２が、各文書に対応づけられたスポットの識別子とスポットの包含数から、スポット包含数データ２４を生成しても良い。
【００４８】
（変形例）
本発明の実施の形態においては、文書のタイトルと本文で包含されるスポットの名称に同じ比重をかけて算出したが、これに限られない。代表的なスポットが比較対象として記載される場合、本文において、タイトルに登場するスポットの名称と比較されることが一般的である。従って、タイトルに含まれるスポットについて、代表スコアが低くなり、タイトルに含まれず、本文にのみ含まれるスポットについて、代表スコアが高くなるように、代表スコアを算出しても良い。
【００４９】
すなわち、文書がタイトルおよび本文を含む場合、代表スコア算出手段１３は、タイトルに含まれるスポットの名称の代表スコアより、本文に含まれるスポットの名称の代表スコアが高くなるように、各スポットの代表スコアを算出する。
【００５０】
このような変形例に係る代表スポット算出装置は、より適切に比較対象を特定として、代表的なスポットを出力することができる。
【００５１】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００５２】
例えば、本発明の実施の形態に記載した代表スポット出力装置１は、図２に示すように一つのハードウェア上に構成されても良いし、その機能や処理数に応じて複数のハードウェア上に構成されても良い。また、既存の情報処理システム上に実現されても良い。
【００５３】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００５４】
１  代表スポット出力装置
１０  処理装置
１１  文書取得手段
１２  スポット包含数算出手段
１３  代表スコア算出手段
１４  代表スポット出力手段
２０  記憶装置
２１  検索インデックスデータ
２２  文書群データ
２３  スポット名データ
２４  スポット包含数データ
２５  代表スコアデータ
【図１】
2015222515.tif 000004
【図２】
2015222515.tif 000005
【図３】
2015222515.tif 000006
【図４】
2015222515.tif 000007
【図５】
2015222515.tif 000008
【図６】
2015222515.tif 000009